(57)【要約】【課題】意図しない外部入力録画モードの解除を防止した映像音声記録装置を提供する。【解決手段】外部入力録画モードが起動すると、外部入力録画モードを解除する閾値として、外部入力録画の回数を入力することを促し、前記回数が入力されると、見かけ上パワーオフにして外部入力を監視する監視状態とし、外部入力があると、パワーオンにし、外部入力録画を開始し、外部入力がなくなると、外部入力録画を停止し、前記監視状態に移行し、外部入力がなく、且つパワーオンの指示があると、パワーオンにし、外部入力録画を前記回数以上実行したか否かを判定し、前記回数以上外部入力録画を実行していない場合は、次にパワーオフの指示があると、前記監視状態に移行し、前記回数以上外部入力録画を実行した場合は、外部入力録画モードを解除し、次にパワーオフの指示があると、パワーオフ状態に移行する構成とする。【選択図】図４
2007214689.tif 000002
【特許請求の範囲】
【請求項１】
外部入力から信号を検知した場合に録画を開始し、信号がなくなると録画を停止する外部入力録画モードを備えたハードディスクドライブ一体型光ディスク装置において、
前記外部入力録画モードが起動すると、
外部入力録画モードを解除する閾値として、外部入力録画の回数を入力することを促し、前記回数が入力されると、
見かけ上パワーオフにして外部入力を監視する監視状態とし、
外部入力があると、パワーオンにし、外部入力録画を開始し、外部入力がなくなると、外部入力録画を停止し、前記監視状態に移行し、
外部入力がなく、且つパワーオンの指示があると、パワーオンにし、外部入力録画を前記回数以上実行したか否かを判定し、前記回数以上外部入力録画を実行していない場合は、次にパワーオフの指示があると、前記監視状態に移行し、前記回数以上外部入力録画を実行した場合は、外部入力録画モードを解除し、次にパワーオフの指示があると、パワーオフ状態に移行することを特徴とするハードディスクドライブ一体型光ディスク装置。
【請求項２】
外部入力から信号を検知した場合に録画を開始し、信号がなくなると録画を停止する外部入力録画モードを備えた映像音声記録装置において、
前記外部入力録画モードが起動すると、
見かけ上パワーオフにして外部入力を監視する監視状態とし、
外部入力があると、パワーオンにし、外部入力録画を開始し、外部入力がなくなると、外部入力録画を停止し、前記監視状態に移行し、
外部入力がなく、且つパワーオンの指示があると、パワーオンにし、外部入力録画を実行したか否かを判定し、外部入力録画を実行していない場合は、次にパワーオフの指示があると、前記監視状態に移行し、外部入力録画を実行した場合は、外部入力録画モードを解除し、次にパワーオフの指示があると、パワーオフ状態に移行することを特徴とする映像音声記録装置。
【請求項３】
前記外部入力録画を実行したか否かを判定した後に、外部入力録画モードを解除するか否かの選択を促すことを特徴とする請求項２記載の映像音声記録装置。
【請求項４】
前記外部入力録画を実行したか否かの判定は、予めユーザが設定した回数以上、外部入力録画を実行したか否かで判定することを特徴とする請求項２記載の映像音声記録装置。
【発明の詳細な説明】
【技術分野】
【０００１】
本発明は、外部入力から信号を検知した場合に録画を開始し、信号がなくなると録画を停止する外部入力録画モードを備えた映像音声記録装置及びハードディスクドライブ一体型光ディスク装置に関する。
【背景技術】
【０００２】
家庭で番組の録画に用いられる映像音声記録装置には、ビデオカセットレコーダやＤＶＤ等の光ディスク装置やハードディスクレコーダがある。またこれらの機器を１つの筐体に組み込んだ複合機もあり、例えば、ハードディスクドライブ一体型光ディスク装置がある。一般にこれらの機器には外部入力録画モードという機能があり、このモードに移行すると、外部入力から信号を検知した場合に録画を開始し、信号がなくなると録画を停止して外部入力監視状態となる。この機能はサテライト予約とも呼ばれる。そして、この機能に関する様々な技術が提案されている。
【０００３】
例えば通常、外部入力録画モードを解除する手段としては、パワーオフ状態（外部入力監視状態）からパワーオンすることで解除されるものや、外部入力録画中に停止ボタンを押下することで解除されるものがある。
【０００４】
また例えば特許文献１には、タイマー録画で映像を録画する場合、録画開始時にトグル信号で外部機器の電源をオン状態からオフ状態にしてしまっても、外部機器の電源がオフしたことを認識し、外部機器の電源をオンさせる外部機器制御装置が開示されている。そのため、タイマー録画開始前の外部機器がどのような状態であっても、映像を録画することができる。
【０００５】
また例えば特許文献２には、以下のリモコン装置が開示されている。保存されたリモコンコード信号をユーザメニュー画面から、ＴＶ受像機の電源オン、外部入力の切り換えという２つの機能に割り当て、割り当て後、ユーザは、ＶＴＲの電源を投入し、ビデオテープをＶＴＲにセットする。すると、ＴＶ受像機は、ＶＴＲの接続された外部入力端子に自動で入力が切り換わる。
【０００６】
また例えば特許文献３には、被制御機器についての未完了の操作をリセットするリセット手段は、第１及び第２の被制御機器の電源ＯＮ／ＯＦＦ切換可能な電源操作手段であるであることを特徴とするリモコン装置が開示されている。
【０００７】
また例えば特許文献４には、入力切り換え時に制御すべき外部機器の情報を設定する外部機器情報設定手段と、外部機器情報設定手段による設定内容に基づいて、入力切り換え時に、その外部入力に接続されている外部機器を制御する制御手段とを具備した外部機器制御装置が開示されている。
【特許文献１】特開２００５−２８６６３４号公報
【特許文献２】特開２００５−１９８０３６号公報
【特許文献３】特開２００３−２６４７１３号公報
【特許文献４】特開２００２−３５４３５１号公報
【発明の開示】
【発明が解決しようとする課題】
【０００８】
ところで、ビデオカセットレコーダや光ディスク装置やハードディスクレコーダのうち２つ以上を組み合わせた複合機においては、録画しながら違うモードに切り換えて使用するという状況が多々ある。従来の機器では、録画しようとしている媒体と異なる媒体を使用する場合でも、パワーオンしてしまうと自動的に外部入力録画モードが解除されてしまい、再度外部入力録画モードにする場合はパワーオフするタイミングで再設定しなければならないという問題があった。
【０００９】
しかしながら、上記特許文献１〜４には外部入力切換に関する記載はあるが、これらの問題点についての記載はない。
【００１０】
本発明は、意図しない外部入力録画モードの解除を防止し、外部入力録画モードを再設定する手間を省いた映像音声記録装置及びハードディスクドライブ一体型光ディスク装置を提供することを目的とする。
【課題を解決するための手段】
【００１１】
上記目的を達成するために本発明は、外部入力から信号を検知した場合に録画を開始し、信号がなくなると録画を停止する外部入力録画モードを備えた映像音声記録装置において、
前記外部入力録画モードが起動すると、
見かけ上パワーオフにして外部入力を監視する監視状態とし、
外部入力があると、パワーオンにし、外部入力録画を開始し、外部入力がなくなると、外部入力録画を停止し、前記監視状態に移行し、
外部入力がなく、且つパワーオンの指示があると、パワーオンにし、外部入力録画を実行したか否かを判定し、外部入力録画を実行していない場合は、次にパワーオフの指示があると、前記監視状態に移行し、外部入力録画を実行した場合は、外部入力録画モードを解除し、次にパワーオフの指示があると、パワーオフ状態に移行することを特徴とする。
【００１２】
この構成によると、外部入力録画モードを解除するか否かを映像音声記録装置が外部入力録画を実行したか否かに基づいて自動で判断することになる。
【００１３】
また上記映像音声記録装置において、前記外部入力録画を実行したか否かを判定した後に、外部入力録画モードを解除するか否かの選択を促すようにしてもよい。
【００１４】
この構成によると、外部入力録画モードを解除するか否かをユーザが選択できる。
【００１５】
また上記映像音声記録装置において、前記外部入力録画を実行したか否かの判定は、予めユーザが設定した回数以上、外部入力録画を実行したか否かで判定してもよい。
【００１６】
この構成によると、外部入力録画モードを解除するための閾値となる外部入力録画の回数をユーザが予め設定できる。
【００１７】
上記の本発明を具体化すると、外部入力から信号を検知した場合に録画を開始し、信号がなくなると録画を停止する外部入力録画モードを備えたハードディスクドライブ一体型光ディスク装置において、
前記外部入力録画モードが起動すると、
外部入力録画モードを解除する閾値として、外部入力録画の回数を入力することを促し、前記回数が入力されると、
見かけ上パワーオフにして外部入力を監視する監視状態とし、
外部入力があると、パワーオンにし、外部入力録画を開始し、外部入力がなくなると、外部入力録画を停止し、前記監視状態に移行し、
外部入力がなく、且つパワーオンの指示があると、パワーオンにし、外部入力録画を前記回数以上実行したか否かを判定し、前記回数以上外部入力録画を実行していない場合は、次にパワーオフの指示があると、前記監視状態に移行し、前記回数以上外部入力録画を実行した場合は、外部入力録画モードを解除し、次にパワーオフの指示があると、パワーオフ状態に移行する構成となる。
【発明の効果】
【００１８】
本発明によれば、外部入力録画モードを解除するか否かを映像音声記録装置が自動で判断することになるので、ユーザの意図をほぼ反映しながら外部入力録画モードを再設定する手間を省くことができる。
【００１９】
また本発明によれば、外部入力録画モードを解除するか否かをユーザが選択できることにより、意図しない外部入力録画モードの解除を防止し、外部入力録画モードを再設定する手間を省くことができる。
【００２０】
また本発明によれば、外部入力録画モードを解除するための閾値となる外部入力録画の回数をユーザが予め設定できることにより、意図しない外部入力録画モードの解除を防止できる。その結果、外部入力録画モード中に何度もパワーオン／オフを繰り返す場合でも、その度に外部入力録画モードを再設定する必要がなくなり、ユーザの手間を省くことができる。
【発明を実施するための最良の形態】
【００２１】
以下、映像音声記録装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録装置に代表される外部装置１２とが接続されている。またＨＤＤ一体型光ディスク装置１０は、リモコン１３によって操作可能である。以下では、光ディスクとしてＤＶＤを例に説明する。
【００２２】
ＨＤＤ一体型光ディスク装置１０は、テレビ放送信号を受信するアンテナ１５と、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００２３】
また、制御部２６は、外部装置１２から外部入力信号を検知した場合に録画を開始し、信号がなくなると録画を停止する外部入力録画モードの制御も行う。以下に外部入力録画モードについて説明する。
【００２４】
図２は、外部入力録画モードのＨＤＤ一体型光ディスク装置１０の動作を示すフローチャートである。リモコン１３やＨＤＤ一体型光ディスク装置１０の操作パネル（不図示）がユーザにより操作され、外部入力録画モードが選択決定されると、制御部２６は外部入力録画モードを起動し、ステップＳ１０において、見かけ上パワーオフにして外部装置１２からの入力を制御部２６で監視する監視状態とする。見かけ上のパワーオフとは、外観のみを通常のパワーオフ状態と同様にすることである。監視状態では、外部入力信号又はパワーオン指示を待つ。
【００２５】
ステップＳ１１へ進んで監視状態において、外部入力があるか否かを判定する。ステップＳ１１において外部入力が検出されると、予約されたケーブルテレビ等の番組を録画するため、ステップＳ１２へ進んで制御部２６はＨＤＤ一体型光ディスク装置１０をパワーオンにし、続いてステップＳ１３へ進んで外部入力録画を開始する。録画先は予めユーザによりＨＤＤ又はＤＶＤが指定されている。ステップＳ１３からステップＳ１４へ進んで外部入力が検出されなくなると、予約された番組が終了したと判断してステップＳ１５へ進んで録画を停止する。その後、ステップＳ１０に戻り、再びパワーオフして監視状態に移行する。
【００２６】
一方、ステップＳ１１において外部入力が検出されないと、ステップＳ１６へ進んでパワーキー（不図示）が押下されたか否かを判定する。ステップＳ１６においてパワーキーが押下されない場合はステップＳ１１に戻る。ステップＳ１６においてパワーキーが押下された場合は、パワーオンの指示があったと判断して、ステップＳ１７へ進んでＨＤＤ一体型光ディスク装置１０をパワーオンにする。パワーオンになると、ユーザはＨＤＤやＤＶＤの再生を選択することができる。
【００２７】
ステップＳ１７からステップＳ１８へ進んで、外部入力録画モードになってから、外部入力録画を実行したか否かを判定する。ステップＳ１８において外部入力録画を実行していないと判定した場合は、ステップＳ１９へ進んで外部入力録画モードを解除するか否かの選択を促すメッセージを出力し、表示装置１１に表示させる。図３に、表示装置１１に表示される画面の一例を示す。この表示に対し、ユーザは外部入力録画モードを解除したい場合は「はい」を選択すればよく、このまま外部入力録画モードを続けたければ「いいえ」を選択すればよい。
【００２８】
ステップＳ１９において「いいえ」が選択された場合は、外部入力録画モードを継続するため、ステップＳ２０へ進み、パワーキーが押下されるのを待つ。パワーキーが押下されると、パワーオフの指示があったと判断して、ステップＳ１０に戻り、再びパワーオフして監視状態に移行する。
【００２９】
一方、ステップＳ１９において「はい」が選択された場合は、ステップＳ２１へ進んで外部入力録画モードを解除する。この解除は制御部２６内で行われるので解除しても外観上変化がなくユーザにわかりにくいので、解除した旨を表示装置１１に表示するようにしてもよい。
【００３０】
また、ステップＳ１８において外部入力録画を実行したと判定した場合は、外部入力装置１２に予約された番組が既に終了したと判断して、ステップＳ２１へ進んで外部入力録画モードを解除する。
【００３１】
ステップＳ２１からステップＳ２２へ進んでパワーキーが押下されるのを待つ。パワーキーが押下されると、パワーオフの指示があったと判断して、外部入力監視状態でない通常のパワーオフ状態に移行する。
【００３２】
このように、外部入力録画モードを解除するか否かをユーザが選択できることにより、
意図しない外部入力録画モードの解除を防止し、外部入力録画モードを再設定する手間を省くことができる。
【００３３】
なお、図２のフローチャートにおいてステップＳ１９は必ずしも必要ではない。ステップＳ１９をなくした場合は、ステップＳ１８で「Ｎ」に進む際にステップＳ２０へ進むようにすればよい。これによると、外部入力録画モードを解除するか否かをＨＤＤ一体型光ディスク装置１０が自動で判断することになるので、ユーザの意図をほぼ反映しながら外部入力録画モードを再設定する手間を省くことができる。
【００３４】
図４は、他の形態の外部入力録画モードにおけるＨＤＤ一体型光ディスク装置１０の動作を示すフローチャートである。図２と同様の処理については同符号を付してその詳細な説明を省略する。
【００３５】
ユーザにより外部入力録画モードが選択決定されると、制御部２６は外部入力録画モードを起動し、ステップＳ３０において、外部入力録画モードを解除する閾値として、外部入力録画の回数を入力することを促すメッセージを出力し、表示装置１１に表示させる。図５に、表示装置１１に表示される画面の一例を示す。この表示に対し、ユーザは所望の回数を入力することができる。例えば、ケーブルテレビのセットトップボックスで３番組予約している場合は、「３」を入力すればよい。
【００３６】
ステップＳ３０において回数が入力されると、その回数を外部入力録画モードを解除する閾値として登録し、ステップＳ１０へ進んで見かけ上パワーオフにして監視状態とする。ステップＳ１０からステップＳ１７までは図２と同様であるので説明を省略する。
【００３７】
ステップＳ１７からステップＳ３１へ進んで、外部入力録画モードになってからステップＳ３０で設定された回数以上の外部入力録画を実行したか否かを判定する。ステップＳ３１において外部入力録画を設定回数以上実行したと判定した場合は、外部入力装置１２に予約された番組が既に終了したと判断して、ステップＳ２１，Ｓ２２，Ｓ２３と進んで、外部入力録画モードを解除後、通常のパワーオフ状態とする。ステップＳ２１において外部入力録画モードの解除は制御部２６内で行われるので解除しても外観上変化がなくユーザにわかりにくいので、解除した旨を表示装置１１に表示するようにしてもよい。
【００３８】
一方、ステップＳ３１において外部入力録画を設定回数以上実行していないと判定した場合は、ステップＳ２０へ進んだ後、ステップ１０に戻り、再びパワーオフして監視状態に移行する。
【００３９】
このように、外部入力録画モードを解除するための閾値となる外部入力録画の回数をユーザが予め設定できることにより、意図しない外部入力録画モードの解除を防止できる。その結果、外部入力録画モード中に何度もパワーオン／オフを繰り返す場合でも、その度に外部入力録画モードを再設定する必要がなくなり、ユーザの手間を省くことができる。
【産業上の利用可能性】
【００４０】
本発明は、ビデオカセットレコーダやＤＶＤ等の光ディスク装置やハードディスクレコーダなどの映像音声記録装置、又は複数の映像音声記録装置を１つの筐体に組み込んだ複合機、例えばハードディスクドライブ一体型光ディスク装置等に利用することができる。
【図面の簡単な説明】
【００４１】
【図１】本発明のＨＤＤ一体型光ディスク装置の構成及びその周辺機器を示すブロック図である。
【図２】本発明の外部入力録画モードのＨＤＤ一体型光ディスク装置の動作を示すフローチャートである。
【図３】本発明の表示装置に表示される画面の一例を示す図である。
【図４】本発明の他の形態の外部入力録画モードにおけるＨＤＤ一体型光ディスク装置の動作を示すフローチャートである。
【図５】本発明の表示装置に表示される画面の一例を示す図である。
【符号の説明】
【００４２】
１０    ＨＤＤ一体型光ディスク装置（映像音声記録装置）
【図１】
2007214689.tif 000003
【図２】
2007214689.tif 000004
【図３】
2007214689.tif 000005
【図４】
2007214689.tif 000006
【図５】
2007214689.tif 000007